(57)【特許請求の範囲】
【請求項１】
原本である一次文書データと改変された可能性がある二次文書データとを取得する文書取得手段と、
取得された前記一次文書データと前記二次文書データとの文書記載内容を認識する記載認識手段と、
認識された前記文書記載内容により前記一次文書データと前記二次文書データとを比較して文書改変部分を検出する改変検出手段と、
認識された前記文書記載内容により前記一次文書データと前記二次文書データとの少なくとも一方の文書種別を判定する種別判定手段と、
前記文書改変部分の重要度判定ルールを前記文書種別ごとに記憶するルール記憶手段と、
検出された前記文書改変部分の改変重要度合を判定された前記文書種別に対応した前記重要度判定ルールで個々に判定する重要度判定手段と、
検出された前記文書改変部分を判定された前記改変重要度合とともに出力する改変出力手段と、
を有し、
複数の特定重要標記が予め定められており、
前記ルール記憶手段は、前記特定重要表記の組み合わせである前記重要度判定ルールを記憶し、
前記重要度判定手段は、検出された前記文書改変部分を含む一文から、前記特定重要標記を抽出し、抽出した前記特定重要標記の組み合わせと前記重要度判定ルールとを比較した結果を用いて、前記改変重要度合を判定するデータ処理装置。
【請求項２】
少なくとも前記一次文書データを保持する文書保持手段を、さらに有し、
前記文書取得手段は、前記文書保持手段から前記一次文書データを読み出す請求項１に記載のデータ処理装置。
【請求項３】
外部から少なくとも前記一次文書データを受信して前記文書保持手段に格納する文書受信手段を、さらに有する請求項２に記載のデータ処理装置。
【請求項４】
少なくとも一次文書原稿を光学読取して一次画像データを生成する光学読取手段と、
生成された前記一次画像データの表記文字認識により前記一次文書データを生成して前記文書保持手段に格納する文字認識手段とを、
さらに有する請求項２に記載のデータ処理装置。
【請求項５】
少なくとも一次文書原稿を光学読取して生成された一次画像データを外部から受信する文書受信手段と、
受信された前記一次画像データの表記文字認識により前記一次文書データを生成して前記文書保持手段に格納する文字認識手段とを、
さらに有する請求項２に記載のデータ処理装置。
【請求項６】
少なくとも前記二次文書データを保持する文書保持手段を、さらに有し、
前記文書取得手段は、前記文書保持手段から前記二次文書データを読み出す請求項１ないし５の何れか一項に記載のデータ処理装置。
【請求項７】
外部から少なくとも前記二次文書データを受信して前記文書保持手段に格納する文書受信手段を、さらに有する請求項６に記載のデータ処理装置。
【請求項８】
少なくとも二次文書原稿を光学読取して二次画像データを生成する光学読取手段と、
生成された前記二次画像データの表記文字認識により前記二次文書データを生成して前記文書保持手段に格納する文字認識手段とを、
さらに有する請求項６に記載のデータ処理装置。
【請求項９】
少なくとも二次文書原稿を光学読取して生成された二次画像データを外部から受信する文書受信手段と、
受信された前記二次画像データの表記文字認識により前記二次文書データを生成して前記文書保持手段に格納する文字認識手段とを、
さらに有する請求項６に記載のデータ処理装置。
【請求項１０】
前記文書受信手段は、利用者のユーザ操作端末から通信ネットワークを経由して前記一次文書データと前記二次文書データとを受信し、
前記改変出力手段は、前記文書改変部分を判定された前記改変重要度合とともに前記通信ネットワークを経由して前記ユーザ操作端末に返信する請求項３または７に記載のデータ処理装置。
【請求項１１】
前記光学読取手段は、前記一次文書原稿と前記二次文書原稿とを光学読取して前記一次画像データと前記二次画像データとを生成し、
前記文字認識手段は、生成された前記一次画像データと前記二次画像データとの表記文字認識により前記一次文書データと前記二次文書データとを生成し、
光学読取された前記一次画像データと前記二次画像データとを比較して画像改変部分を検出する画像比較手段とを、さらに有し、
前記改変検出手段は、検出された前記画像改変部分も参照して前記文書改変部分を検出する請求項４または８に記載のデータ処理装置。
【請求項１２】
前記文書受信手段は、前記一次文書原稿と前記二次文書原稿とを光学読取して生成された前記一次画像データと前記二次画像データとを受信し、
前記文字認識手段は、受信された前記一次画像データと前記二次画像データとの表記文字認識により前記一次文書データと前記二次文書データとを生成し、
光学読取された前記一次画像データと前記二次画像データとを比較して画像改変部分を検出する画像比較手段とを、さらに有し、
前記改変検出手段は、検出された前記画像改変部分も参照して前記文書改変部分を検出する請求項５または９に記載のデータ処理装置。
【請求項１３】
前記改変検出手段は、検出された前記文書改変部分を内包する少なくとも一文部分文章を前記一次文書データと前記二次文書データから抽出し、
前記改変出力手段は、抽出された前記一次文書データと前記二次文書データとの前記一文部分文章を要約した改変要約文章を生成して前記文書改変部分とともに出力する請求項１ないし１２の何れか一項に記載のデータ処理装置。
【請求項１４】
前記ルール記憶手段は、前記文書改変部分ごとに注釈文章データが設定された前記重要度判定ルールを記憶し、
前記改変出力手段は、検出された前記文書改変部分を前記改変重要度合および前記注釈文章データとともに出力する請求項１ないし１３の何れか一項に記載のデータ処理装置。
【請求項１５】
前記改変出力手段は、前記文書改変部分を判定された前記改変重要度合に対応して前記二次文書データで強調表現した改変強調データを生成して出力する請求項１ないし１４の何れか一項に記載のデータ処理装置。
【請求項１６】
前記改変出力手段は、前記文書改変部分が各々検出された複数の一文部分文章を判定された前記改変重要度合でソートして出力する請求項１ないし１５の何れか一項に記載のデータ処理装置。
【請求項１７】
原本である一次文書データと改変された可能性がある二次文書データとを取得する文書取得処理と、
取得された前記一次文書データと前記二次文書データとの文書記載内容を認識する記載認識処理と、
認識された前記文書記載内容により前記一次文書データと前記二次文書データとを比較して文書改変部分を検出する改変検出処理と、
認識された前記文書記載内容により前記一次文書データと前記二次文書データとの少なくとも一方の文書種別を判定する種別判定処理と、
前記文書改変部分の重要度判定ルールを前記文書種別ごとに記憶するルール記憶処理と、
検出された前記文書改変部分の改変重要度合を判定された前記文書種別に対応した前記重要度判定ルールで個々に判定する重要度判定処理と、
検出された前記文書改変部分を判定された前記改変重要度合とともに出力する改変出力処理と、
をデータ処理装置に実行させ、
複数の特定重要標記が予め定められており、
前記ルール記憶処理において、前記特定重要表記の組み合わせである前記重要度判定ルールを記憶させ、
前記重要度判定処理において、検出された前記文書改変部分を含む一文から、前記特定重要標記を抽出し、抽出した前記特定重要標記の組み合わせと前記重要度判定ルールとを比較した結果を用いて、前記改変重要度合を判定させるコンピュータプログラム。
【請求項１８】
原本である一次文書データと改変された可能性がある二次文書データとを取得する文書取得動作と、
取得された前記一次文書データと前記二次文書データとの文書記載内容を認識する記載認識動作と、
認識された前記文書記載内容により前記一次文書データと前記二次文書データとを比較して文書改変部分を検出する改変検出動作と、
認識された前記文書記載内容により前記一次文書データと前記二次文書データとの少なくとも一方の文書種別を判定する種別判定動作と、
前記文書改変部分の重要度判定ルールを前記文書種別ごとに記憶するルール記憶動作と、
検出された前記文書改変部分の改変重要度合を判定された前記文書種別に対応した前記重要度判定ルールで個々に判定する重要度判定動作と、
検出された前記文書改変部分を判定された前記改変重要度合とともに出力する改変出力動作と、
を有し、
複数の特定重要標記が予め定められており、
前記ルール記憶動作において、前記特定重要表記の組み合わせである前記重要度判定ルールを記憶し、
前記重要度判定動作において、検出された前記文書改変部分を含む一文から、前記特定重要標記を抽出し、抽出した前記特定重要標記の組み合わせと前記重要度判定ルールとを比較した結果を用いて、前記改変重要度合を判定するデータ処理装置のデータ処理方法。
【発明の詳細な説明】
【技術分野】
【０００１】
本発明は、コンピュータプログラムに対応して文書データを処理するデータ処理装置に関し、特に、契約書などの文書データの改変を検出して利用者に警告するデータ処理装置、そのコンピュータプログラムおよびデータ処理方法に関する。
【背景技術】
【０００２】
現在、利用者が専門業者と各種の契約を実行する場合、いわゆる契約書を作成することで契約している。この契約書は、いわゆる紙媒体に印刷や手書きで作成されることもあり、電子署名を利用するなどして電子データで作成されることもある。
【０００３】
現在、上述のような契約書の作成を電子的に支援するデータ処理装置として各種の提案がある（例えば、特許文献１，２参照）。
【特許文献１】特開２００２−０７４２０６号公報
【特許文献２】特開２００４−０７０７０４号公報
【発明の開示】
【発明が解決しようとする課題】
【０００４】
しかし、従来は契約書の作成を電子的に支援するデータ処理装置しか提案されていない。一方、契約書などは専門用語が羅列されていることが多々あり、一般的な利用者には難解である。このため、契約書などの一次文書が悪意の専門家に改変されて二次文書となっても、これを一般的な利用者が認識することが困難である。
【０００５】
本発明は上述のような課題に鑑みてなされたものであり、一次文書に対する二次文書の改変部分を重要度とともに利用者に一目で確認させることができるデータ処理装置、そのコンピュータプログラムおよびデータ処理方法、を提供するものである。
【課題を解決するための手段】
【０００６】
本発明のデータ処理装置は、原本である一次文書データと改変された可能性がある二次文書データとを取得する文書取得手段と、取得された一次文書データと二次文書データとの文書記載内容を認識する記載認識手段と、認識された文書記載内容により一次文書データと二次文書データとを比較して文書改変部分を検出する改変検出手段と、認識された文書記載内容により一次文書データと二次文書データとの少なくとも一方の文書種別を判定する種別判定手段と、文書改変部分の重要度判定ルールを文書種別ごとに記憶するルール記憶手段と、検出された文書改変部分の改変重要度合を判定された文書種別に対応した重要度判定ルールで個々に判定する重要度判定手段と、検出された文書改変部分を判定された改変重要度合とともに出力する改変出力手段と、を有する。
【０００７】
本発明のコンピュータプログラムは、原本である一次文書データと改変された可能性がある二次文書データとを取得する文書取得処理と、取得された一次文書データと二次文書データとの文書記載内容を認識する記載認識処理と、認識された文書記載内容により一次文書データと二次文書データとを比較して文書改変部分を検出する改変検出処理と、認識された文書記載内容により一次文書データと二次文書データとの少なくとも一方の文書種別を判定する種別判定処理と、文書改変部分の重要度判定ルールを文書種別ごとに記憶するルール記憶処理と、検出された文書改変部分の改変重要度合を判定された文書種別に対応した重要度判定ルールで個々に判定する重要度判定処理と、検出された文書改変部分を判定された改変重要度合とともに出力する改変出力処理と、をデータ処理装置に実行させる。
【０００８】
本発明のデータ処理方法は、原本である一次文書データと改変された可能性がある二次文書データとを取得する文書取得動作と、取得された一次文書データと二次文書データとの文書記載内容を認識する記載認識動作と、認識された文書記載内容により一次文書データと二次文書データとを比較して文書改変部分を検出する改変検出動作と、認識された文書記載内容により一次文書データと二次文書データとの少なくとも一方の文書種別を判定する種別判定動作と、文書改変部分の重要度判定ルールを文書種別ごとに記憶するルール記憶動作と、検出された文書改変部分の改変重要度合を判定された文書種別に対応した重要度判定ルールで個々に判定する重要度判定動作と、検出された文書改変部分を判定された改変重要度合とともに出力する改変出力動作と、を有する。
【０００９】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００１０】
また、本発明の各種の構成要素は、個々に独立した存在である必要もなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００１１】
また、本発明のデータ処理方法は、複数の動作を順番に記載してあるが、その記載の順番は複数の動作を実行する順番を限定するものではない。このため、本発明のデータ処理方法を実施するときには、その複数の動作の順番は内容的に支障しない範囲で変更することができる。
【００１２】
さらに、本発明のデータ処理方法は、複数の動作が個々に相違するタイミングで実行されることに限定されない。このため、ある動作の実行中に他の動作が発生すること、ある動作の実行タイミングと他の動作の実行タイミングとの一部ないし全部が重複していること、等でもよい。
【００１３】
また、本発明で云うデータ処理装置は、コンピュータプログラムを読み取って対応する処理動作を実行できるように、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｃ  Ｄｒｉｖｅ）、Ｉ／Ｆ（Ｉｎｔｅｒｆａｃｅ）ユニット、等の汎用デバイスで構築されたハードウェア、所定の処理動作を実行するように構築された専用の論理回路、これらの組み合わせ、等として実施することができる。
【００１４】
なお、本発明でコンピュータプログラムに対応した各種動作をデータ処理装置に実行させることは、各種デバイスをデータ処理装置に動作制御させることなども意味している。
【００１５】
例えば、データ処理装置に各種データを記憶させることは、データ処理装置に固定されているＨＤＤ等の情報記憶媒体にＣＰＵが各種データを格納すること、データ処理装置に交換自在に装填されているＣＤ−Ｒ（Ｃｏｍｐａｃｔ  Ｄｉｓｃ−Ｒｅｃｏｒｄａｂｌｅ）等の情報記憶媒体にＣＰＵがＣＤドライブで各種データを格納すること、等を許容する。
【００１６】
さらに、本発明で云う「データを記憶する」とは、本発明の装置が、少なくともデータを記憶する機能を有することを意味している。このため、本発明の装置がコンシューマにより新規に登録されるデータを記憶することの他、サプライヤにより製造時に登録されたデータを記憶して出荷後にはコンシューマにより新規のデータが登録されないことも許容する。
【発明の効果】
【００１７】
本発明のデータ処理装置では、原本である一次文書データと改変された可能性がある二次文書データとを文書取得手段が取得する。すると、取得された一次文書データと二次文書データとの文書記載内容を記載認識手段が認識する。この認識された文書記載内容により改変検出手段が一次文書データと二次文書データとを比較して文書改変部分を検出する。また、認識された文書記載内容により一次文書データと二次文書データとの少なくとも一方の文書種別を種別判定手段が判定する。文書改変部分の重要度判定ルールをルール記憶手段が文書種別ごとに記憶するので、検出された文書改変部分の改変重要度合を判定された文書種別に対応した重要度判定ルールで重要度判定手段が個々に判定する。検出された文書改変部分を判定された改変重要度合とともに改変出力手段が出力するので、利用者は一次文書に対する二次文書の改変部分を重要度とともに一目で確認することができる。
【発明を実施するための最良の形態】
【００１８】
本発明の実施の一形態を図面を参照して以下に説明する。本実施の形態のデータ処理システム１０００は、図１および図２に示すように、サービス業者の少なくとも一個のデータ処理装置１００と利用者ごとの複数のユーザ操作端末２００とを有し、これらが現行のインターネットや次世代のＮＧＮ（Ｎｅｘｔ  Ｇｅｎｅｒａｔｉｏｎ  Ｎｅｔｗｏｒｋ）などの通信ネットワークＩＮで接続されている。
【００１９】
そして、本実施の形態のデータ処理装置１００は、原本である一次文書データＦＤＤと改変された可能性がある二次文書データＳＤＤとを取得する文書取得部１１０と、取得された一次文書データＦＤＤと二次文書データＳＤＤとの文書記載内容を認識する記載認識部１２０と、認識された文書記載内容により一次文書データＦＤＤと二次文書データＳＤＤとを比較して文書改変部分ＤＣＰを検出する改変検出部１３０と、認識された文書記載内容により一次文書データＦＤＤと二次文書データＳＤＤとの少なくとも一方の文書種別する種別判定部１４０と、文書改変部分ＤＣＰの重要度判定ルールＩＪＲを文書種別ごとに記憶するルール記憶部１５０と、検出された文書改変部分ＤＣＰの改変重要度合ＣＩＲを判定された文書種別に対応した重要度判定ルールＩＪＲで個々に判定する重要度判定部１６０と、検出された文書改変部分ＤＣＰを判定された改変重要度合ＣＩＲとともに出力する改変出力部１７０と、を有する。
【００２０】
より具体的には、データ処理装置１００は、サービス業者のサーバ装置などからなり、例えば、ユーザ操作端末２００で利用されるウェブサイト（図示せず）を通信ネットワークＩＮに開設することなどに利用される。
【００２１】
ユーザ操作端末２００は、利用者に利用されるパーソナルコンピュータや携帯電話端末などからなり、例えば、データ処理装置１００で通信ネットワークＩＮに開設されているウェブサイトを利用することなどに使用される。
【００２２】
そこで、本実施の形態のデータ処理装置１００は、文書改変を検出して重要度を判定するウェブサイトを有償や無償で通信ネットワークＩＮに開設する。このため、データ処理装置１００の文書取得部１１０は、利用者のユーザ操作端末２００から通信ネットワークＩＮを経由して一次文書データＦＤＤと二次文書データＳＤＤとを受信する。改変出力部１７０は、文書改変部分ＤＣＰを判定された改変重要度合ＣＩＲとともに通信ネットワークＩＮを経由してユーザ操作端末２００に返信する。
【００２３】
このデータ処理装置１００のルール記憶部１５０は、詳細には後述するが、少なくとも一つが文書改変部分ＤＣＰである複数の特定重要表記ＩＩＭを関連させた重要度判定ルールＩＪＲを記憶している。そこで、重要度判定部１６０は、検出された複数の文書改変部分ＤＣＰを重要度判定ルールＩＪＲで関連させて改変重要度合ＣＩＲを判定する。
【００２４】
また、改変検出部１３０は、検出された文書改変部分ＤＣＰを内包する少なくとも一文部分文章を一次文書データＦＤＤと二次文書データＳＤＤから抽出する。そこで、改変出力部１７０は、抽出された一次文書データＦＤＤと二次文書データＳＤＤとの一文部分文章を要約した改変要約文章を生成して文書改変部分ＤＣＰとともに出力する。
【００２５】
さらに、改変出力部１７０は、文書改変部分ＤＣＰを判定された改変重要度合ＣＩＲに対応して二次文書データＳＤＤで強調表現した改変強調データを生成して出力する。また、改変出力部１７０は、文書改変部分ＤＣＰが各々検出された複数の一文部分文章を判定された改変重要度合ＣＩＲでソートして出力する。
【００２６】
本実施の形態のデータ処理装置１００は、コンピュータ装置の主体であるＣＰＵをハードウェアとして有し、このＣＰＵに、ＲＯＭ、ＲＡＭ、ＨＤＤ、通信Ｉ／Ｆ、等の各種デバイスがハードウェアとして接続されている（図示せず）。
【００２７】
本実施の形態のデータ処理装置１００では、ＲＯＭ、ＲＡＭ、ＨＤＤ、等のハードウェアが情報記憶媒体に相当し、これらの少なくとも一個にＣＰＵのためのコンピュータプログラムおよびリソースがソフトウェアとして格納されている。
【００２８】
このようなソフトウェアはデータ処理装置１００に事前にインストールされており、データ処理装置１００の起動時にＣＰＵに読み取られる。このようにＣＰＵが適正なコンピュータプログラムを読み取って各種処理を実行することにより、本実施の形態のデータ処理装置１００は、前述のような各部１１０〜１７０が各種機能として論理的に実現されている。
【００２９】
文書取得部１１０および改変出力部１７０は、ＣＰＵがコンピュータプログラムに対応して通信Ｉ／Ｆのデータ通信を動作制御する機能などに相当する。ルール記憶部１５０は、ＣＰＵがコンピュータプログラムに対応して認識するＨＤＤの記憶エリアなどに相当する。その他の各部１２０〜は、ＣＰＵがコンピュータプログラムに対応して所定のデータ処理を実行する機能などに相当する。
【００３０】
このようなコンピュータプログラムは、例えば、原本である一次文書データＦＤＤと改変された可能性がある二次文書データＳＤＤとを取得する文書取得処理と、取得された一次文書データＦＤＤと二次文書データＳＤＤとの文書記載内容を認識する記載認識処理と、認識された文書記載内容により一次文書データＦＤＤと二次文書データＳＤＤとを比較して文書改変部分ＤＣＰを検出する改変検出処理と、認識された文書記載内容により一次文書データＦＤＤと二次文書データＳＤＤとの少なくとも一方の文書種別する種別判定処理と、文書改変部分ＤＣＰの重要度判定ルールＩＪＲを文書種別ごとに記憶するルール記憶処理と、検出された文書改変部分ＤＣＰの改変重要度合ＣＩＲを判定された文書種別に対応した重要度判定ルールＩＪＲで個々に判定する重要度判定処理と、検出された文書改変部分ＤＣＰを判定された改変重要度合ＣＩＲとともに出力する改変出力処理と、をデータ処理装置１００に実行させるように記述されている。
【００３１】
上述のような構成において、本実施の形態のデータ処理装置１００は、前述のように文書改変を検出して重要度を判定するウェブサイトを有償や無償で通信ネットワークＩＮに開設する。
【００３２】
このウェブサイトには、例えば、「契約書などの一次文書と二次文書との改変部分を、その重要度とともに判定して御教示します。以下の第一の入力スペースに一次文書のテキストデータを、第二の入力スペースに二次文書のテキストデータを、それぞれ入力してください。」などのガイダンスデータが二つの入力スペースとともに提示される(図示せず)。
【００３３】
そこで、原本である一次文書データＦＤＤと改変された可能性がある二次文書データＳＤＤとを有する利用者は、所望により上述のウェブサイトをユーザ操作端末２００で利用する。
【００３４】
その場合、例えば、図３に示すように、一次文書データＦＤＤと二次文書データＳＤＤとがパーソナルコンピュータからなるユーザ操作端末２００に電子データとして保持されているならば、そのユーザ操作端末２００からデータ処理装置１００のウェブサイトの入力スペース(図示せず)に一次文書データＦＤＤと二次文書データＳＤＤとを入力する。
【００３５】
すると、図６に示すように、これで一次文書データＦＤＤと二次文書データＳＤＤとを取得したデータ処理装置１００は(ステップＳ１−Ｙ)、既存の文章解析アルゴリズムなどにより、取得された一次文書データＦＤＤと二次文書データＳＤＤとの文書記載内容を認識する(ステップＳ２)。
【００３６】
つぎに、データ処理装置１００は、認識された文書記載内容により一次文書データＦＤＤと二次文書データＳＤＤとを比較して文書改変部分ＤＣＰを検出する(ステップＳ３)。
【００３７】
これで文書改変部分ＤＣＰが検出されない場合(ステップＳ４−Ｎ)、前述のウェブサイトに「これら二つの文書は同一内容です。改変は検出されませんでした。なお、この解析結果は法的責任を負うものではありません。」等のガイダンスメッセージが解析結果として表示出力される(ステップＳ８)。
【００３８】
一方、図４に示すように、文書改変部分ＤＣＰが検出された場合(ステップＳ４−Ｙ)、文頭の文字列の認識結果などから一次文書データＦＤＤの文書種別が判定される(ステップＳ５)。すると、この文書種別に対応した重要度判定ルールＩＪＲが読み出される(ステップＳ６)。
【００３９】
そこで、検出された文書改変部分ＤＣＰの改変重要度合ＣＩＲが読み出された重要度判定ルールＩＪＲで個々に判定される(ステップＳ７)。この重要度判定ルールＩＪＲは、例えば、特定重要表記ＩＩＭごとに改変重要度合ＣＩＲが設定されている。
【００４０】
そこで、文書改変部分ＤＣＰが重要度判定ルールＩＪＲに特定重要表記ＩＩＭとして登録されているかが検索される。これで検索された場合には、文書改変部分ＤＣＰを内包する一文を構成する全部の単語が抽出され、その単語が重要度判定ルールＩＪＲに特定重要表記ＩＩＭとして登録されているかが検索される。
【００４１】
つぎに、上述のように文書改変部分ＤＣＰを内包する一文から検索された特定重要表記ＩＩＭの組み合わせが重要度判定ルールＩＪＲに登録されているかが判定される。この重要度判定ルールＩＪＲには、複数の特定重要表記ＩＩＭの組み合わせにも改変重要度合ＣＩＲが設定されている。
【００４２】
そこで、文書改変部分ＤＣＰを内包する一文から検索された特定重要表記ＩＩＭの組み合わせが重要度判定ルールＩＪＲに登録されていた場合には、例えば、
(文書改変部分ＤＣＰの改変重要度合ＣＩＲ×Ａ(Ａは１以上の定数)＋特定重要表記ＩＩＭの改変重要度合ＣＩＲ×Ｂ(Ｂは１以下の定数)＋…＋文書改変部分ＤＣＰの改変重要度合ＣＩＲ×Ａ＋特定重要表記ＩＩＭの改変重要度合ＣＩＲ×Ｂ)×組み合わせの改変重要度合ＣＩＲ＝
などとして該当文章の改変重要度合ＣＩＲが算出される。
【００４３】
このように文書改変部分ＤＣＰを内包する一文ごとに改変重要度合ＣＩＲが算出されると、例えば、図５に示すように、その改変重要度合ＣＩＲで各文がソートされて「文書データを××(文書種別)と判定しました。一次文書データＦＤＤと二次文書データＳＤＤに相違部分がありました。…」などのガイダンスメッセージとともに、文書改変部分ＤＣＰが検出された文章が算出された改変重要度合ＣＩＲでソートされて一覧表示される。このとき、例示される各文の文書改変部分ＤＣＰは下線の付与などで強調表現される。
【００４４】
本実施の形態のデータ処理装置１００では、上述のように原本である一次文書データＦＤＤと改変された可能性がある二次文書データＳＤＤとを取得すると、取得された一次文書データＦＤＤと二次文書データＳＤＤとの文書記載内容を認識する。
【００４５】
つぎに、この認識された文書記載内容により一次文書データＦＤＤと二次文書データＳＤＤとを比較して文書改変部分ＤＣＰを検出するとともに、認識された文書記載内容により一次文書データＦＤＤと二次文書データＳＤＤとの少なくとも一方の文書種別する。
【００４６】
そして、検出された文書改変部分ＤＣＰの改変重要度合ＣＩＲを判定された文書種別に対応した重要度判定ルールＩＪＲで個々に判定し、検出された文書改変部分ＤＣＰを判定された改変重要度合ＣＩＲとともに改変出力部１７０が出力する。このため、利用者は一次文書データＦＤＤに対する二次文書データＳＤＤの改変部分を重要度とともに一目で確認することができる。
【００４７】
特に、本実施の形態のデータ処理装置１００では、少なくとも一つが文書改変部分ＤＣＰである複数の特定重要表記ＩＩＭを関連させた重要度判定ルールＩＪＲにより、検出された複数の文書改変部分ＤＣＰを重要度判定ルールＩＪＲで関連させて改変重要度合ＣＩＲを判定する。
【００４８】
このため、文書改変部分ＤＣＰが検出された文章に存在する複数の特定重要表記ＩＩＭの組み合わせに対応した改変重要度合ＣＩＲが算出されるので、より的確な改変重要度合ＣＩＲを簡単に判定して利用者に提供することができる。
【００４９】
しかも、本実施の形態のデータ処理装置１００は、一次文書データＦＤＤと二次文書データＳＤＤとの少なくとも一方の文書種別し、その文書種別に対応した重要度判定ルールＩＪＲにより改変重要度合ＣＩＲを判定する。このため、文書種別により相違する文書改変部分ＤＣＰの改変重要度合ＣＩＲを的確に判定することができる。
【００５０】
それでいて、本実施の形態のデータ処理装置１００は、文書改変部分ＤＣＰが検出されないと文書種別を判定しない。このため、無駄なデータ処理を実行することがなく、その処理負担を軽減することができる。
【００５１】
さらに、本実施の形態のデータ処理装置１００は、文書改変部分ＤＣＰを下線で強調表現して出力する。このため、利用者は長大な文章に内包される文書改変部分ＤＣＰを一目で確認することができる。
【００５２】
しかも、本実施の形態のデータ処理装置１００は、文書改変部分ＤＣＰが検出された文章が複数の場合、その複数の文章を改変重要度合ＣＩＲでソートして出力する。このため、利用者は改変された文章を重要な順番で確認することができる。
【００５３】
さらに、本実施の形態のデータ処理装置１００は、通信ネットワークＩＮに開設しているウェブサイトへの入力操作により、利用者のユーザ操作端末２００から通信ネットワークＩＮを経由して一次文書データＦＤＤと二次文書データＳＤＤとを受信する。
【００５４】
そして、文書改変部分ＤＣＰを判定された改変重要度合ＣＩＲとともに通信ネットワークＩＮを経由してユーザ操作端末２００にウェブサイトの表示出力で返信する。このため、利用者は特別なアプリケーションプログラムなどをユーザ操作端末２００にインストールせずとも、一次文書データＦＤＤと二次文書データＳＤＤとの相違の有無を簡単に確認することができる。
【００５５】
なお、本発明は本実施の形態に限定されるものではなく、その要旨を逸脱しない範囲で各種の変形を許容する。例えば、上記形態ではデータ処理装置１００がユーザ操作端末２００から一次文書データＦＤＤと二次文書データＳＤＤとをリアルタイムに取得することを例示した。
【００５６】
しかし、データ処理装置１００が、外部から一次文書データＦＤＤや二次文書データＳＤＤを受信して文書保持部に格納する文書受信部と、一次文書データＦＤＤや二次文書データＳＤＤを保持する文書保持手段とを、さらに有し、文書取得部１１０は、文書保持部から一次文書データＦＤＤや二次文書データＳＤＤを読み出してもよい(図示せず)。
【００５７】
また、上記形態ではサービス業者のデータ処理装置１００が通信ネットワークＩＮに開設しているウェブサイトにより、利用者のユーザ操作端末２００から一次文書データＦＤＤと二次文書データＳＤＤとを取得して解析結果を返信することを例示した。
【００５８】
しかし、利用者が所有するパーソナルコンピュータに専用のアプリケーションプログラムをインストールすることなどにより、原本である一次文書データＦＤＤと改変された可能性がある二次文書データＳＤＤとを取得する文書取得部１１０と、取得された一次文書データＦＤＤと二次文書データＳＤＤとの文書記載内容を認識する記載認識部１２０と、認識された文書記載内容により一次文書データＦＤＤと二次文書データＳＤＤとを比較して文書改変部分ＤＣＰを検出する改変検出部１３０と、認識された文書記載内容により一次文書データＦＤＤと二次文書データＳＤＤとの少なくとも一方の文書種別する種別判定部１４０と、文書改変部分ＤＣＰの重要度判定ルールＩＪＲを文書種別ごとに記憶するルール記憶部１５０と、検出された文書改変部分ＤＣＰの改変重要度合ＣＩＲを判定された文書種別に対応した重要度判定ルールＩＪＲで個々に判定する重要度判定部１６０と、検出された文書改変部分ＤＣＰを判定された改変重要度合ＣＩＲとともに出力する改変出力部１７０と、を有するデータ処理装置(図示せず)を実現してもよい。
【００５９】
このようなデータ処理装置が、一次文書原稿と二次文書原稿とを光学読取して一次画像データと二次画像データとを生成する光学読取手段と、一次画像データと二次画像データとの表記文字認識により一次文書データＦＤＤと二次文書データＳＤＤとを生成する文字認識手段とを、さらに有してもよい(図示せず)。
【００６０】
この場合、データ処理装置は、いわゆる紙媒体からなる一次文書原稿と二次文書原稿との改変部分を簡単に検出して利用者に教示することができる。なお、このようなデータ処理装置が携帯電話端末からなる場合、上述の光学読取手段として現在の携帯電話端末では一般的なＣＣＤ（Ｃｈａｒｇｅ  Ｃｏｕｐｌｅｄ  Ｄｅｖｉｃｅ）カメラを利用することができる。
【００６１】
さらに、このようなデータ処理装置１００が、光学読取された一次画像データと二次画像データとを比較して画像改変部分を検出する画像比較手段も有し、検出された画像改変部分も参照して文書改変部分ＤＣＰを検出してもよい(図示せず)。
【００６２】
この場合、テキストデータとしては同一に認識されても画像として改変されている部分を検出して文書改変部分ＤＣＰを判定することができる。このため、例えば、手書きなどによる改変を良好な精度で検出するようなことができる。
【００６３】
また、データ処理装置１００が、一次文書原稿や二次文書原稿を光学読取して各々生成された一次画像データや二次画像データを外部のユーザ操作端末２００などから受信する文書受信部と、受信された一次画像データや二次画像データの表記文字認識により一次文書データＦＤＤや二次文書データＳＤＤを生成して前述の文書保持部に格納する文字認識部とを、さらに有し、文書取得部１１０は、文書保持部から一次文書データＦＤＤや二次文書データＳＤＤを読み出してもよい。
【００６４】
この場合、例えば、一般ユーザはＣＣＤカメラが搭載されている携帯電話端末、ウェブカメラやフラットベッドスキャナが接続されているパーソナルコンピュータ、等をユーザ操作端末２００として利用することができる。
【００６５】
このようなユーザ操作端末２００で一般ユーザが一次文書原稿や二次文書原稿を光学読取してデータ処理装置１００に送信すると、その改変有無の解析結果を一般ユーザはユーザ操作端末２００で受信することができる。
【００６６】
また、上記形態では検出された文書改変部分ＤＣＰを下線付与により単純に強調表現することを例示した。しかし、文書改変部分ＤＣＰを判定された改変重要度合ＣＩＲに対応して二次文書データＳＤＤで強調表現した改変強調データを生成して出力してもよい。
【００６７】
例えば、改変重要度合ＣＩＲが"３"の場合は文書改変部分ＤＣＰを赤色、"２"の場合は黄色、"１"の場合は青色、でハイライト表示するようなことが可能である(図示せず)。この場合、利用者は文書改変部分ＤＣＰを改変重要度合ＣＩＲとともに一目で確認することができる。
【００６８】
さらに、上記形態では検出された文書改変部分ＤＣＰを内包する文章を単純に列記することを例示した。しかし、検出された文書改変部分ＤＣＰを内包する少なくとも一文部分文章を一次文書データＦＤＤと二次文書データＳＤＤから抽出し、改変出力部１７０は、抽出された一次文書データＦＤＤと二次文書データＳＤＤとの一文部分文章を要約した改変要約文章を生成して文書改変部分ＤＣＰとともに出力してもよい。この場合、一般的な利用者には難解な契約書などの文章を、より簡単に理解させることができる。
【００６９】
また、文書改変部分ＤＣＰごとに注釈文章データを重要度判定ルールＩＪＲに設定しておき、検出された文書改変部分ＤＣＰを改変重要度合ＣＩＲおよび注釈文章データとともに出力してもよい。この場合、一般的な利用者には難解な専門用語などを、より簡単に理解させることができる。
【００７０】
さらに、本実施の形態ではデータ処理装置の各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【００７１】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【図面の簡単な説明】
【００７２】
【図１】本発明の実施の形態のデータ通信システムの論理構造を示す模式図である。
【図２】データ通信システムの物理構造を示すブロック図である。
【図３】一次文書データと二次文書データとの表記内容を示す模式的な正面図である。
【図４】二次文書データから文書改変部分が検出された状態を示す模式的な正面図である。
【図５】文書改変部分や改変重要度合の出力結果を示す模式的な正面図である。
【図６】データ処理装置によるデータ処理方法を示すフローチャートである。
【符号の説明】
【００７３】
１００    データ処理装置
１１０    文書取得部
１２０    記載認識部
１３０    改変検出部
１４０    種別判定部
１５０    ルール記憶部
１６０    重要度判定部
１７０    改変出力部
２００    ユーザ操作端末
１０００    データ処理システム
ＣＩＲ    改変重要度合
ＤＣＰ    文書改変部分
ＦＤＤ    一次文書データ
ＩＩＭ    特定重要表記
ＩＪＲ    重要度判定ルール
ＩＮ    通信ネットワーク
ＳＤＤ    二次文書データ
【図１】
0004992820.tif 000002
【図２】
0004992820.tif 000003
【図３】
0004992820.tif 000004
【図４】
0004992820.tif 000005
【図５】
0004992820.tif 000006
【図６】
0004992820.tif 000007